(57)【要約】【課題】後処理装置の折り位置調整において、折り位置のずれ量を手動で測定して折り位置調整を行う場合に比べて、より簡易に折り位置調整を行えるようにする。【解決手段】画像処理装置１０は、調整パターンが形成された調整シートに対して、予め設定された基準折り位置に基づいてその調整パターンを跨ぐように折りを実行する折り部１８と、折り部１８で折られた調整シートが広げられた状態で調整シートの調整パターンの画像を読み取る画像読取部１４と、画像読取部１４で読み取られた調整パターンの画像に現れる折り目に基づいて、折り目の位置を特定する位置特定手段７４と、位置特定手段７４により特定された折り目の位置と、基準折り位置との差分に基づいて、折り部１８の折り位置を調整する折り位置調整手段７６と、を含む。【選択図】図３
2019045784.tif 000002
【特許請求の範囲】
【請求項１】
調整パターンが形成された調整シートに対して、予め設定された基準折り位置に基づいて当該調整パターンを跨ぐように折りを実行する折り部と、
前記折り部で折られた前記調整シートが広げられた状態で前記調整シートの調整パターンの画像を読み取る画像読取部と、
前記画像読取部で読み取られた前記調整パターンの画像に現れる折り目に基づいて、折り目の位置を特定する位置特定手段と、
前記位置特定手段により特定された前記折り目の位置と、前記基準折り位置との差分に基づいて、前記折り部の折り位置を調整する折り位置調整手段と、を含む、ことを特徴とする画像処理装置。
【請求項２】
請求項１に記載の画像処理装置において、
前記調整パターンは、前記調整シートが折られる領域の少なくとも一部に形成された一定濃度で塗り潰されたパターンである、ことを特徴とする画像処理装置。
【請求項３】
請求項２に記載の画像処理装置において、
前記位置特定手段は、
前記調整シートの折りに沿った方向と交差する方向である交差方向において、有意に濃度が低下する位置または領域の所定位置を、前記折り目の位置として特定する、ことを特徴とする画像処理装置。
【請求項４】
請求項３に記載の画像処理装置において、
前記位置特定手段は、
前記交差方向において、前記有意に濃度が低下する領域の中央の位置を、前記折り目の位置として特定する、ことを特徴とする画像処理装置。
【請求項５】
請求項３または４に記載の画像処理装置において、
前記調整シートの少なくとも１つの角の領域には、前記調整シートの前記交差方向における基準となる端を示す基準端マークが付されており、
前記画像読取部は、前記調整シートが載置されるプラテンを含み、
前記調整シートは、前記基準端マークが付されている位置に従って前記プラテン上に載置される、ことを特徴とする画像処理装置。
【請求項６】
請求項５に記載の画像処理装置において、
前記調整シートは、前記画像読取部の前記プラテンの端から離されて載置され、それにより、前記画像読取部は、前記調整シートの外郭が現れる前記調整パターンの画像を取得し、
前記位置特定手段は、前記調整パターンの画像に現れる前記調整シートの外郭および折り目に基づいて、前記折り目の位置を特定する、ことを特徴とする画像処理装置。
【請求項７】
請求項１から６のいずれか一項に記載の画像処理装置において、
電子写真方式により前記調整シートを含む印刷媒体に画像を形成する画像形成部をさらに含み、
前記画像形成部は、前記印刷媒体に転写されたトナーを定着させる定着部を含み、
前記画像形成部は、前記調整シートに前記調整パターンの画像を形成する場合に、前記調整シート以外の印刷媒体に画像を形成する場合に比べて、前記調整シートが前記定着部を通過する速度を遅くする、ことを特徴とする画像処理装置。
【請求項８】
請求項７に記載の画像処理装置において、
前記画像形成部は、前記調整シートに前記調整パターンの画像を形成する場合に、前記調整シート以外の印刷媒体に画像を形成する場合に比べて、前記定着部の定着温度を高くする、ことを特徴とする画像処理装置。
【請求項９】
請求項１から６のいずれか一項に記載の画像処理装置において、
前記画像読取部は、前記調整シートを含む印刷媒体に照射する光源を含み、
前記画像読取部は、前記調整シートの前記調整パターンを読み取る場合に、前記調整シート以外の印刷媒体に形成された画像を読み取る場合に比べて、前記光源の光量を高くする、ことを特徴とする画像処理装置。
【請求項１０】
請求項１から６および請求項９のいずれか一項に記載の画像処理装置において、
前記画像読取部は、前記調整シートを含む印刷媒体に照射した光の反射光を受光する受光部を含み、
前記画像読取部は、前記調整シートの前記調整パターンを読み取る場合に、前記調整シート以外の印刷媒体に形成された画像を読み取る場合に比べて、前記受光部のゲインを高くする、ことを特徴とする画像処理装置。
【請求項１１】
請求項１から１０のいずれか一項に記載の画像処理装置において、
用紙の種類毎の調整シートに対して、前記折り部、前記画像読取部、前記位置特定手段および前記折り位置調整手段による各処理を行うことで、用紙の種類毎に前記折り部の折り位置の調整を行う、ことを特徴とする画像処理装置。
【請求項１２】
請求項１から１１のいずれか一項に記載の画像処理装置において、
折り方の種類毎に、前記折り部、前記画像読取部、前記位置特定手段および前記折り位置調整手段による各処理を行うことで、折り方の種類毎に前記折り部の折り位置の調整を行う、ことを特徴とする画像処理装置。
【請求項１３】
調整パターンが形成された調整シートに対して、予め設定された基準折り位置に基づいて当該調整パターンを跨ぐように折り部により折りを実行し、
折られた前記調整シートが広げられた状態で前記調整シートの前記調整パターンの画像を読み取り、
読み取られた前記調整パターンの画像に現れる折り目に基づいて、当該折り目の位置を特定し、
特定された前記折り目の位置と前記基準折り位置との差分に基づいて、前記折り部の折り位置の調整を行う、ことを特徴とする方法。
【請求項１４】
用紙に折りを実行する折り部の折り目の位置を特定するためのシートであり、前記折り部により折られる領域の少なくとも一部に一定濃度で塗り潰されたパターンが形成されたシートを形成することを特徴とする画像形成装置。
【発明の詳細な説明】
【技術分野】
【０００１】
本発明は、画像処理装置、画像形成装置及び方法に関する。
【背景技術】
【０００２】
従来から、複合機等の画像処理装置に後処理装置（フィニッシャー）を含み、後処理装置により用紙に折り処理が行われている。特許文献１には、内三つ折りやＺ折り等の複数種類の折り処理が可能な後処理装置が開示されている。
【先行技術文献】
【特許文献】
【０００３】
【特許文献１】特開２０１７−６１３８５号公報
【発明の概要】
【発明が解決しようとする課題】
【０００４】
後処理装置による用紙の折り位置は、ユーザの指定した位置からずれる場合がある。そこで、事前に折り位置のずれを抑制するための調整作業が行われる。調整作業は、例えば、次のように行われる。まず、ユーザ或いはサービスマンが、後処理装置から排出された折られた用紙について、定規等によって折り位置のずれ量を測定する。そして、ずれ量、或いは、ずれ量に対応した調整量を後処理装置を含む画像処理装置に設定する。
【０００５】
しかし、このように折り位置のずれ量を手動で測定する場合には、測定するための多くの手間が必要である。
【０００６】
本発明の目的は、後処理装置の折り位置調整において、折り位置のずれ量を手動で測定して折り位置調整を行う場合に比べて、より簡易に折り位置調整を行えるようにすることにある。
【課題を解決するための手段】
【０００７】
請求項１に係る発明は、調整パターンが形成された調整シートに対して、予め設定された基準折り位置に基づいて当該調整パターンを跨ぐように折りを実行する折り部と、前記折り部で折られた前記調整シートが広げられた状態で前記調整シートの調整パターンの画像を読み取る画像読取部と、前記画像読取部で読み取られた前記調整パターンの画像に現れる折り目に基づいて、折り目の位置を特定する位置特定手段と、前記位置特定手段により特定された前記折り目の位置と、前記基準折り位置との差分に基づいて、前記折り部の折り位置を調整する折り位置調整手段と、を含む、ことを特徴とする画像処理装置である。
【０００８】
請求項２に係る発明は、請求項１に記載の画像処理装置において、前記調整パターンは、前記調整シートが折られる領域の少なくとも一部に形成された一定濃度で塗り潰されたパターンである、ことを特徴とするものである。
【０００９】
請求項３に係る発明は、請求項２に記載の画像処理装置において、前記位置特定手段は、前記調整シートの折りに沿った方向と交差する方向である交差方向において、有意に濃度が低下する位置または領域の所定位置を、前記折り目の位置として特定する、ことを特徴とするものである。
【００１０】
請求項４に係る発明は、請求項３に記載の画像処理装置において、前記位置特定手段は、前記交差方向において、前記有意に濃度が低下する領域の中央の位置を、前記折り目の位置として特定する、ことを特徴とするものである。
【００１１】
請求項５に係る発明は、請求項３または４に記載の画像処理装置において、前記調整シートの少なくとも１つの角の領域には、前記調整シートの前記交差方向における基準となる端を示す基準端マークが付されており、前記画像読取部は、前記調整シートが載置されるプラテンを含み、前記調整シートは、前記基準端マークが付されている位置に従って前記プラテン上に載置される、ことを特徴とするものである。
【００１２】
請求項６に係る発明は、請求項５に記載の画像処理装置において、前記調整シートは、前記画像読取部の前記プラテンの端から離されて載置され、それにより、前記画像読取部は、前記調整シートの外郭が現れる前記調整パターンの画像を取得し、前記位置特定手段は、前記調整パターンの画像に現れる前記調整シートの外郭および折り目に基づいて、前記折り目の位置を特定する、ことを特徴とするものである。
【００１３】
請求項７に係る発明は、請求項１から６のいずれか一項に記載の画像処理装置において、電子写真方式により前記調整シートを含む印刷媒体に画像を形成する画像形成部をさらに含み、前記画像形成部は、前記印刷媒体に転写されたトナーを定着させる定着部を含み、前記画像形成部は、前記調整シートに前記調整パターンの画像を形成する場合に、前記調整シート以外の印刷媒体に画像を形成する場合に比べて、前記調整シートが前記定着部を通過する速度を遅くする、ことを特徴とするものである。
【００１４】
請求項８に係る発明は、請求項７に記載の画像処理装置において、前記画像形成部は、前記調整シートに前記調整パターンの画像を形成する場合に、前記調整シート以外の印刷媒体に画像を形成する場合に比べて、前記定着部の定着温度を高くする、ことを特徴とするものである。
【００１５】
請求項９に係る発明は、請求項１から６のいずれか一項に記載の画像処理装置において、前記画像読取部は、前記調整シートを含む印刷媒体に照射する光源を含み、前記画像読取部は、前記調整シートの前記調整パターンを読み取る場合に、前記調整シート以外の印刷媒体に形成された画像を読み取る場合に比べて、前記光源の光量を高くする、ことを特徴とするものである。
【００１６】
請求項１０に係る発明は、請求項１から６および請求項９のいずれか一項に記載の画像処理装置において、前記画像読取部は、前記調整シートを含む印刷媒体に照射した光の反射光を受光する受光部を含み、前記画像読取部は、前記調整シートの前記調整パターンを読み取る場合に、前記調整シート以外の印刷媒体に形成された画像を読み取る場合に比べて、前記受光部のゲインを高くする、ことを特徴とするものである。
【００１７】
請求項１１に係る発明は、請求項１から１０のいずれか一項に記載の画像処理装置において、用紙の種類毎の調整シートに対して、前記折り部、前記画像読取部、前記位置特定手段および前記折り位置調整手段による各処理を行うことで、用紙の種類毎に前記折り部の折り位置の調整を行う、ことを特徴とするものである。
【００１８】
請求項１２に係る発明は、請求項１から１１のいずれか一項に記載の画像処理装置において、折り方の種類毎に、前記折り部、前記画像読取部、前記位置特定手段および前記折り位置調整手段による各処理を行うことで、折り方の種類毎に前記折り部の折り位置の調整を行う、ことを特徴とするものである。
【００１９】
請求項１３に係る発明は、調整パターンが形成された調整シートに対して、予め設定された基準折り位置に基づいて当該調整パターンを跨ぐように折り部により折りを実行し、折られた前記調整シートが広げられた状態で前記調整シートの前記調整パターンの画像を読み取り、読み取られた前記調整パターンの画像に現れる折り目に基づいて、当該折り目の位置を特定し、特定された前記折り目の位置と前記基準折り位置との差分に基づいて、前記折り部の折り位置の調整を行う、ことを特徴とする方法である。
【００２０】
請求項１４に係る発明は、用紙に折りを実行する折り部の折り目の位置を特定するためのシートであり、前記折り部により折られる領域の少なくとも一部に一定濃度で塗り潰されたパターンが形成されたシートを形成することを特徴とする画像形成装置である。
【発明の効果】
【００２１】
請求項１及び１３に係る発明によれば、折り位置のずれ量を手動で測定して折り位置調整を行う場合に比べて、より簡易に折り位置調整を行うことができる。
【００２２】
請求項２及び３に係る発明によれば、調整パターンの折り目におけるトナー剥がれ等により、読み取られた調整パターンの画像に折り目が顕著に現れる。
【００２３】
請求項４に係る発明によれば、読み取られた調整パターンの画像に折り目が幅をもって現れたとしても、折り目の位置を正確に特定することができる。
【００２４】
請求項５に係る発明によれば、調整シートの折り目の位置を特定する際の調整シートの基準となる端を明確にできる。
【００２５】
請求項６に係る発明によれば、調整シートの折り目の位置を特定する際の調整シートの外郭の位置が明確となる。
【００２６】
請求項７及び８に係る発明によれば、調整シートの調整パターンの光沢度が高くなり、調整パターンにおける折り目とそれ以外の部分とのコントラストが高くなる。
【００２７】
請求項９及び１０に係る発明によれば、画像読取部により調整パターンにおける折り目とそれ以外の部分とのコントラストが高い画像が読み取られる。
【００２８】
請求項１１に係る発明によれば、用紙の種類毎に折り部の折り位置の調整量を設定できる。
【００２９】
請求項１２に係る発明によれば、折り方の種類毎に折り部の折り位置の調整量を設定できる。
【００３０】
請求項１４に係る発明によれば、画像読取部で読み取ることで折り目の位置が特定されるシートを作成することができる。
【図面の簡単な説明】
【００３１】
【図１】画像処理装置の概略構成図である。
【図２】折り部の機構の一例の概略図である。
【図３】画像処理装置の折り位置の調整処理における制御構成を示す図である。
【図４】画像処理装置の折り位置の調整処理の流れを示すフローチャートである。
【図５】折り位置の調整処理の設定画面の一例を示す図である。
【図６】調整パターンが印刷された調整シートの一例（Ａ）と、その調整シートに折り処理が施された状態の一例（Ｂ）とを示す図である。
【図７】折り位置の調整処理における調整シートをプラテンガラス上に載置する際の案内画面の一例を示す図である。
【図８】読み取られた調整シートの調整パターンの画像の一例を示す図である。
【図９】折り目の位置を特定する際のパターンマッチングに用いられるパターンの一例を示す図である。
【図１０】折り目の位置と基準折り位置との差分を説明するための図である。
【発明を実施するための形態】
【００３２】
以下、図面を参照しながら本発明の実施形態について説明する。
【００３３】
図１は、本実施形態の画像処理装置の概略構成図である。画像処理装置１０は、記録用紙に画像を形成する画像形成部１２と、原稿の画像を読み取るイメージスキャナである画像読取部１４と、記録用紙に折り処理等を施すフィニッシャーである後処理部１６とを備えている。
【００３４】
本実施形態の画像処理装置１０は、例えば、画像読取部１４で読み取った原稿の画像を、画像形成部１２で記録用紙に形成する複写機能を有する複写機である。また、本実施形態の画像処理装置１０は、例えば、パーソナルコンピュータ（以下ＰＣという）等とネットワークを通じて接続され、ＰＣ等から印刷ジョブとして入力される画像データに基づいて画像形成部１２が印刷を実行するものである。画像処理装置１０は、装置本体に設けられたユーザインターフェイス（以下ＵＩという）やＰＣ等から記録用紙に対する折り処理の指示を受け付け、後処理部１６の折り部１８が記録用紙に折り処理を行うものである。以下で説明するように画像処理装置１０は、折り部１８による記録用紙の折りの位置の調整を行う。なお、本明細書では、「記録用紙」とは画像が形成される用紙（媒体）に限られず、画像が形成されない用紙も含む。
【００３５】
画像形成部１２は、記録用紙を搬送する搬送路２０と、記録用紙上にトナー像を形成するトナー像形成部２２と、記録用紙上のトナー像を定着させる定着部２４とを備えている。また、画像処理装置１０は、記録用紙が収容された複数の用紙トレイ２６を備えている。図１では、２つの用紙トレイ２６が図示されているが、実際には、さらに多くの用紙トレイ２６が設けられている。用紙トレイ２６の各々には、例えば、記録用紙の種別（種類）に応じて記録用紙が収容されている。
【００３６】
用紙トレイ２６に収容された複数の記録用紙のうち一番上の記録用紙が送り出しローラ２８により搬送路２０に送り出されるようになっている。搬送路２０は、その一端が各用紙トレイ２６に接続されており、トナー像形成部２２を通って、その他端が後処理部１６の搬送路（不図示）に接続されている。それにより、用紙トレイ２６から搬送路２０に送り出された記録用紙は、トナー像形成部２２に向けて搬送され、その後、定着部２４を通って後処理部１６に搬送されるようになっている。
【００３７】
図１に示すように、画像処理装置１０は手差しトレイ３０を備えている。手差しトレイ３０の上に置かれた記録用紙も搬送路２０に送り出されるようになっており、トナー像形成部２２に向けて搬送され、その後、定着部２４を通って後処理部１６に搬送されるようになっている。
【００３８】
トナー像形成部２２は、イエロー（Ｙ）、マゼンタ（Ｍ）、シアン（Ｃ）、ブラック（Ｋ）の各色の現像ユニット３２Ｙ、３２Ｍ、３２Ｃ、３２Ｋと、中間保持体として無端の転写ベルト３４とを備えている。転写ベルト３４は、搬送路側の転写ローラ３６を含む複数のローラに巻き掛けられており、回転駆動されるようになっている。また、転写ベルト３４は、現像ユニット３２Ｙ、３２Ｍ、３２Ｃ、３２Ｋに設けられている感光体ドラム３８Ｙ、３８Ｍ、３８Ｃ、３８Ｋに接している。
【００３９】
トナー像形成部２２には、画像データに基づいて生成されたＹ、Ｍ、Ｃ、Ｋの各色の画像信号（ラスタデータ）が入力されるようになっている。トナー像形成部２２では、この画像信号に基づいて、現像ユニット３２Ｙ、３２Ｍ、３２Ｃ、３２Ｋのそれぞれで、感光体ドラム３８Ｙ、３８Ｍ、３８Ｃ、３８Ｋに、Ｙ、Ｍ、Ｃ、Ｋの各色のトナー像を形成し、それぞれのトナー像を転写ベルト３４に重畳させて転写する。
【００４０】
トナー像形成部２２には、転写ローラ３６に対向してローラ３８（バイアストランスファーローラ）が設けられており、記録用紙は、転写ローラ３６とローラ３８との間に送り込まれ、転写ベルト３４と共に転写ローラ３６及びローラ３８に挟持される。これにより、記録用紙は、転写ベルト３４のトナー像が転写されながら送り出される。
【００４１】
定着部２４は、一対の定着ローラ４０を備えており、トナー像が転写された記録用紙は、この定着ローラ４０の間に送り込まれる。定着部２４は、定着ローラ４０の間へ送り込まれる記録用紙を定着ローラ４０によって挟持して加圧しながら加熱し、記録用紙にトナー像を定着させて送り出す。これにより、記録用紙に画像データに応じた画像が形成される。
【００４２】
以上説明した画像形成部１２は、電子写真方式を用いた一般的構成を適用でき、詳細な説明は省略する。
【００４３】
画像処理装置１０は、自動原稿搬送部４４を備えている。自動原稿搬送部４４は、画像読取部１４（イメージスキャナ）上面の原稿台であるプラテンガラスＰＧ上に支持されている。自動原稿搬送部４４は、画像を読み取ろうとする複数の原稿が重ねて積載される原稿給紙トレイ４６を有している。原稿給紙トレイ４６に積載された複数の各原稿は順次プラテンガラスＰＧ上の複写位置、すなわち、原稿搬送部材のプラテンロール４８の圧接位置を通過して原稿排紙トレイ４９に排出されるように構成されている。自動原稿搬送部４４は、その後端部に設けた左右方向（図１のＸ軸方向）に延びる図示しない回動軸によりプラテンガラスＰＧ上面に対して回動可能であり、原稿をユーザ等が手でプラテンガラスＰＧ上に置く場合に上方に回動される。
【００４４】
画像読取部１４は、プラテンガラスＰＧの下方に配置され、原稿画像を読み取る露光光学系５０を備えている。露光光学系５０は、光源５２と、複数のミラーとを備えている。自動原稿搬送部４４でプラテンガラスＰＧ上面に搬送されて複写位置を通過する原稿または手動でプラテンガラスＰＧ上に置かれた原稿には光源から光が照射され、原稿からの反射光は、露光光学系５０を介して、固体撮像素子ＣＣＤ５６で電気信号に変換される。なお、手動でプラテンガラスＰＧ上に置かれた原稿の画像を読み取る場合には、露光光学系５０が図１のＸ軸方向に移動して原稿を走査する。
【００４５】
以上説明した画像読取部１４は、例えば、ＣＣＤ方式のイメージスキャナの一般的構成を適用でき、詳細な説明は省略する。
【００４６】
後処理部１６であるフィニッシャーは、画像形成部１２から搬送されてきた記録用紙に折り処理を行う折り部１８と、排出トレイ５８とを備えている。折り部１８は、記録用紙を二つ折り、内三つ折り、Ｚ折り等の設定された折り方に折り、排出トレイ５８へ排出する。なお、後処理部１６は、複数枚の記録用紙を重ねて中綴じした後に二つ折りするなどして小冊子状とする小冊子作成部（不図示）や、複数枚の記録用紙を重ね、重ねた記録用紙の周縁部の所定位置をステープル止めするステープル部（不図示）などを備えていてもよい。これらの折り部１８、小冊子作成部およびステープル部は、従来公知の構成を適用できる。
【００４７】
図２は、折り部１８の折り機構の一例の概略図である。
【００４８】
図２（Ａ）に示すように、記録用紙Ｐは、一対の搬送ローラ６０が矢印Ａ方向に回転することによって搬送され、ゲート６２に突き当てられる。記録用紙Ｐは、ゲート６２に突き当てられると搬送が停止する。記録用紙Ｐの搬送が停止すると、図２（Ｂ）に示すように、ナイフ状の折り部材６４が一対の折りローラ６６に向かって矢印Ｂ方向に移動し、記録用紙Ｐを一対の折りローラ６６に押し込む。この結果、記録用紙Ｐは、一対の折りローラ６６によって折り込まれる。
【００４９】
記録用紙Ｐの折り位置は、例えば、一対の搬送ローラ６０から押し出される記録用紙のたわみ量に依存する。記録用紙Ｐは、記録用紙Ｐの用紙特性（記録用紙Ｐのこしの強さ、厚み等）によってたわむことがあり、かつ、そのたわみ量も異なる。そこで、記録用紙Ｐの用紙特性によって折り位置を調整する必要が生じる。なお、以上説明した「たわみ量」以外の要因によっても、記録用紙Ｐの折り位置の変動が生じる可能性がある。
【００５０】
図３は、本実施形態の画像処理装置１０の折り位置の調整処理における制御構成を示すブロック図である。画像処理装置１０は、制御部６８と、記憶部７０と、ＵＩ（ユーザインターフェイス）７２とを備えている。制御部６８は、ＣＰＵ等のプロセッサを含み、記憶部７０に格納されているプログラムに従って処理を実行する。それにより、制御部６８は、後述する位置特定手段７４、折り位置調整手段７６等として機能する。記憶部７０は、ＲＯＭ、ＲＡＭ、フラッシュメモリ等であり、制御部６８が実行するプログラム、折り位置の調整処理によって決定された調整値、一時的なデータ等を記憶する。ＵＩ７２は、折り位置の調整処理における設定画面等を表示すると共に、ユーザやサービスマン等（以下、ユーザ等という）からの操作を受け付ける。制御部６８は、画像形成部１２、画像読取部１４、および折り部１８と接続され、各々を制御可能となっている。
【００５１】
図４は、画像処理装置１０の折り位置の調整処理の流れを示すフローチャートである。本実施形態では、記録用紙の種類毎および記録用紙の折り方毎に、図４のフローを実行して折り位置の調整処理を行う。
【００５２】
まず、Ｓ１００で、制御部６８は、ＵＩ７２を介して調整シートの作成指示を受け付ける。図５は、ＵＩ７２に表示される折り位置の調整処理の設定画面および調整シートの作成指示受付画面の一例を示す図である。まず、図５（Ａ）に示す調整項目の選択画面が表示され、ユーザ等により「フィニッシャー調整」が選択される。次に、図５（Ｂ）に示す調整する折り方の選択画面が表示され、ユーザ等により調整する折り方が選択される。次に、図５（Ｃ）に示す調整する記録用紙（用紙）の選択画面が表示され、ユーザ等により調整する記録用紙が選択される。そして、図５（Ｃ）に示す「調整シートの作成スタート」のボタンがタッチされることで、調整シートの作成指示が受け付けられる。調整シートの作成指示が受け付けられると、制御部６８は画像形成部１２を制御して、図５（Ｃ）で選択された記録用紙（用紙）が収納された用紙トレイ２６から記録用紙を給紙して、搬送路２０に送り出す。なお、図５（Ｃ）で選択した記録用紙をユーザ等が手差しトレイ３０に載置して、「調整シートの作成スタート」のボタンをタッチすることで、手差しトレイ３０から記録用紙を給紙して、搬送路２０に送り出すことも可能である。給紙された記録用紙が、調整シートとなる。なお、調整シートは、単に「シート」と言うこともできる。
【００５３】
次に、図４のＳ１０２で、制御部６８は画像形成部１２を制御して、用紙トレイ２６または手差しトレイ３０から給紙された記録用紙（調整シート）に、予め定められた調整パターンを印刷する。図６（Ａ）は、調整パターン７８が印刷された調整シート８０の一例を示す図である。本実施形態の調整パターン７８は、一定濃度で塗り潰されたパターン（パッチ）であり、後処理部１６の折り部１８で調整シート８０が折られる領域の少なくとも一部に印刷（形成）されるものである。なお、図６（Ａ）の調整シート８０の角の領域に印刷されたマークは、図６（Ａ）の左右方向における基準となる端を示すもの（基準端マーク）である。
【００５４】
図６（Ａ）では、調整パターン７８は調整シート８０の中央付近に印刷されているが、上側付近、または、下側付近に印刷されたものでもよく、上側から下側に亘って印刷されたものでもよい。また、調整パターン７８の幅（図６（Ａ）における左右方向の幅）は、図６（Ａ）に示されているものに限定されず、より幅が狭いもの、または、より幅が広いもの（例えば、調整シート８０の左右方向の全体に亘って印刷されたもの）であってもよい。
【００５５】
調整パターン７８は、例えば、Ｋ色のトナーのみで印刷される。あるいは、調整パターン７８は、例えば、Ｃ色、Ｍ色、Ｙ色の各トナーを混色することで黒色に印刷される。あるいは、調整パターン７８は、例えば、所定濃度のグレー色や、所定濃度の黒色以外の色であってもよい。調整パターン７８の色、調整パターン７８の調整シート８０上の位置は、例えば、予め記憶部７０に記憶しておく。なお、調整パターンである一定濃度で塗り潰されたパターンの「一定濃度」とは、厳密な意味で濃度が一定というわけではなく、例えば、設計上あるいは動作上起こり得る変動した濃度も含むものである。
【００５６】
図４のＳ１０２で、調整シートに調整パターンが印刷された後は、調整シートは後処理部１６に送り出される。そして、Ｓ１０４で、制御部６８は折り部１８を制御して、調整シートに折り処理を施す。この折り処理は、図５（Ｂ）で選択した折り方で行われる。図６（Ｂ）は、図５（Ｂ）において「二つ折り」が選択され、その折り処理が施された調整シート８０の一例が示す図である。図６（Ｂ）において、折られた位置が斜線で示されている。調整シート８０を折る位置は、基準折り位置として、例えば、予め記憶部７０に記憶されている。すなわち、基準折り位置は予め設定された折り位置である。折り部１８は、基準折り位置に従って調整シート８０に折り処理を行うが、実際に折られる位置は基準折り位置からずれた位置となり得る。ここで、折り部１８は、調整パターン７８を跨ぐように折り処理を行う。なお、図６（Ｂ）に示すように、基準端マーク８２は、調整シート８０の折りに沿った方向Ｃと交差する方向（交差方向）Ｄにおける基準となる端を示す。
【００５７】
次に、図４のＳ１０６で、制御部６８は、折り部１８で折られた調整シートを排出トレイ５８に排出する。そして、ユーザ等は、排出トレイ５８に排出された調整シート（折られた調整シート）を広げて、画像読取部１４の上部にあるプラテンガラスＰＧ（単にプラテンＰＧとも言う）上に載置する。図７は、ＵＩ７２に表示される調整シートをプラテンガラスＰＧ上に載置する際の案内画面の一例である。図７に示すように、ＵＩ７２には、調整シートをプラテンガラスＰＧ（プラテンＰＧ）の端から離して載置するように案内が表示される。また、調整シートの角の領域に印刷された基準端マーク（■マーク）が左上角に来るように、かつ、基準端マーク（および調整パターン）が印刷された側がプラテンガラスＰＧ面に向くように案内が表示される。ユーザ等は、それらに従って、プラテンガラスＰＧ上に調整シートを広げて載置する。
【００５８】
次に、図４のＳ１０８で、制御部６８は、ＵＩ７２を介して調整シートの読取指示を受け付ける。具体的には、図７に示す「調整シートのスキャンスタート」のボタンがタッチされることで、調整シートの読取指示が受け付けられる。そして、制御部６８は、画像読取部１４を制御して、調整シートの画像を読み取る。具体的には、画像読取部１４の露光光学系５０が移動して調整シートを走査することで、調整シートの画像（調整パターンの画像）を読み取る。このように、画像読取部１４は、折り部１８で折られた調整シートが広げられた状態で調整シートの調整パターンの画像を読み取る。
【００５９】
図８は、読み取られた調整パターンの画像８４の一例を示す図である。読み取られた調整パターンの画像がカラー画像である場合には、従来公知の方法で、カラー画像からモノクロ画像に変換されてもよい。図８では、その変換後の画像が示されている。図８に示すように、調整シートをプラテンガラスＰＧの端から離して載置した為、調整パターンの画像８４には調整シート２００の外側領域２０１を含んでいる。換言すれば、調整パターンの画像８４には、調整シートの外郭（端部）が現れている。
【００６０】
また、調整パターンの画像８４において、調整パターンの領域２０２では折り目が入った領域２０４が白色、或いは、濃度が低い色となって現れる。この要因として、例えば、次の２つの要因が考えられる。１つ目の要因は、調整シートが折られることで、折り目のトナーが剥がれたことである。すなわち、一定濃度で塗り潰された調整パターンの折り目部分のトナーが剥がれることで、調整パターンの画像において折り目が顕著に現れる。２つ目の要因は、プラテンガラスＰＧ上に調整シートを載置した時に折り目の部分がプラテンガラスＰＧから浮くことで、折り目の部分において反射光の角度が変わり、画像読取部１４が本来受光しないはずの正反射光を受光したことである。制御部６８は、この調整パターンの画像８４に現れる白色、或いは、濃度が低い色の位置を特定することで、調整シートにおける折り目の位置を特定する。
【００６１】
図４に戻り、Ｓ１１０で、制御部６８は位置特定手段７４として機能して、調整パターンの画像に現れる折り目に基づいて、折り目の位置を特定する。図８に示すように、左右方向（ｘ軸方向）において、調整パターン２０６の黒色（或いは濃度が高い色）から、折り目の領域である白色（或いは濃度が低い色）に変化する変化部２０８Ｌ，２０８Ｒが存在する。変化部２０８Ｌと変化部２０８Ｒとの間が折り目が入った領域２０４である。すなわち、調整シートの折りに沿った方向（図８の上下方向（ｙ軸方向）、或いは、それに近い方向）と交差する交差方向（図８のｘ軸方向、或いは、それに近い方向）において、有意に濃度が低下する領域が、折り目が入った領域２０４である。制御部６８の位置特定手段７４は、交差方向における有意に濃度が低下する領域の所定位置を、折り目の位置として特定する。
【００６２】
なお、以上の説明では、折り目が入った領域２０４が存在する、すなわち、折り目が幅をもって存在するとしたが、折り目が幅をもって現れない場合も考えられる。その場合には、制御部６８の位置特定手段７４は、有意に濃度が低下する「位置」を、折り目の位置として特定する。
【００６３】
次に、折り目の位置の特定方法の一例を示す。図８の左右方向（ｘ軸方向）において、調整シート２００の外側領域２０１の黒色（或いは濃度が高い色）から、調整シート２００の内側領域２１０の白色（或いは濃度が低い色）に変化する変化部２１２Ｌ，２１２Ｒが存在する。制御部６８は、例えば、従来公知のパターンマッチング等により、変化部２１２Ｌ，２１２Ｒの位置を特定することができる。また、前述した折り目の領域２０４の変化部２０８Ｌ，２０８Ｒの位置も同様に特定することができる。なお、ここで言う位置とは、図８の左右方向（ｘ軸方向）における画素位置である。
【００６４】
なお、ここで説明する例では、調整シート２００の左右方向（ｘ軸方向）における、基準端マーク２１４が存在しない側（左側）の変化部２１２Ｌの画素位置は特定しない。すなわち、調整シートの左右方向（ｘ軸方向）において、基準端マーク２１４が存在する側（右側）の変化部２１２Ｒの画素位置を特定し、それに基づいて折り目の位置を特定する。本実施形態では、基準端マーク２１４があることで、調整シートのｘ軸方向における基準となる端（基準端）が明確となっている。
【００６５】
パターンマッチングによる変化部２１２Ｒ，２０８Ｌ，２０８Ｒの画素位置の特定は、例えば、図９（Ａ），（Ｂ）に示すような２×１画素のパターンを、調整パターンの画像に走査して２×１画素のパターンの条件が満たされる位置を変化部２１２Ｒ，２０８Ｌ、２０８Ｒとして特定するものである。例えば、調整パターンの画像８４の各画素値が、０（黒）〜２５５（白）の値をとる場合において、図９（Ａ）に示すパターンを図８のｘ軸方向に走査することで、変化部２１２Ｒ，２０８Ｒの画素位置が特定される。また、図９（Ｂ）に示すパターンを図８のｘ軸方向に走査することで、変化部２０８Ｌの画素位置が特定される。なお、これらの走査を、図８の上下方向（ｙ軸方向）の複数の位置で行ってもよく、それによって得られる複数の画素位置（１つの変化部に対する複数のｘ軸方向の画素位置）の平均値を、変化部の画素位置としてもよい。あるいは、複数の画素位置から最小二乗法で近似した近似線（ｙ軸方向に伸びた近似線）を求め、その近似線に基づいて変化部の画素位置を求めてもよい。なお、図８に示すように、画素位置は、調整パターンの画像８４の右端の位置を０画素目として求められる。これは、基準端マーク２１４がある側である右側を基準とするためである。図８には、変化部２１２Ｒの画素位置としてＳＥＲ、変化部２０８Ｒの画素位置としてＡＦＲ、変化部２０８Ｌの画素位置としてＡＦＬが示されている。
【００６６】
次に、図８に示すように、変化部２０８Ｒの画素位置ＡＦＲと、変化部２０８Ｌの画素位置ＡＦＬとの中間（中央）の画素位置ＡＦＭを求める。この画素位置ＡＦＭも、調整パターンの画像８４の右端の位置を０画素目とした場合の画素位置である。次に、変化部２１２Ｒを基準端とした場合、すなわち、変化部２１２Ｒの画素位置ＳＥＲを０画素目とした場合における画素位置ＡＦＭの位置を算出する。これは、画素位置ＡＦＭから画素位置ＳＥＲを差し引くことで算出することができる。図１０ではこの位置（画素位置）がＡＦとして示されている。このＡＦが特定された折り目の位置となる。なお、以下、変化部２１２Ｒを基準端２１２Ｒとも言う。基準端２１２Ｒは、調整シートの右端であり、基準端マーク２１４がある側の端である。
【００６７】
図４に戻り、調整処理のフローの説明を続ける。Ｓ１１０の次はＳ１１２で、制御部６８は、折り目の位置と基準折り位置との差分を取得する。記憶部７０には、基準端２１２Ｒに対する基準折り位置の画素位置ＲＦが記憶されている。図１０には、基準折り位置の画素位置ＲＦの一例が示されている。制御部６８は、折り目の位置の画素位置ＡＦと、基準折り位置の画素位置ＲＦとの差分画素数αを算出する。この差分画素数αに、１画素あたりの距離Ｄ（何ｍｍ）を掛けたものが、折り位置のずれ量に相当する。
【００６８】
次に、図４のＳ１１４で、制御部６８は折り位置調整手段７６として機能し、折り目の位置の画素位置ＡＦと、基準折り位置の画素位置ＲＦとの差分画素数αに基づいて、折り目の位置の調整量を設定する。記憶部７０には、１画素あたりの距離Ｄ（何ｍｍ）が予め記憶されている。図１０に示すように、特定された折り目の位置ＡＦが、折り目の位置として期待される基準折り位置ＲＦよりも左側にある場合（差分画素数αがプラス値の場合）は、折り目の位置が、より右側に移動し（基準端２１２Ｒに近づき）、基準折り位置ＲＦに一致するように調整量を設定する。一方、特定された折り目の位置ＡＦが、折り目の位置として期待される基準折り位置ＲＦよりも右側にある場合（差分画素数αがマイナス値の場合）は、折り目の位置が、より左側に移動し（基準端２１２Ｒから遠ざかり）、基準折り位置ＲＦに一致するように調整量を設定する。調整量の絶対値は、差分画素数αに１画素あたりの距離Ｄを掛けたものである。求められた調整量は、用紙の種類および折り方（図５（Ｂ），（Ｃ）で設定されたもの）に関連付けられて記憶部７０に記憶される。この調整量は、ユーザ等が通常時にＵＩ７２やＰＣ等から記録用紙に対する折り処理の指示を行った場合に使用される。
【００６９】
以上説明した図４のフローを、用紙の種類毎および折り方毎に行うことで、それらに対応した調整量が記憶部７０に記憶される。ユーザ等が、ＵＩ７２やＰＣ等から記録用紙に対する折り処理の指示を行った場合には、その際に設定した用紙の種類および折り方に対応した調整量が記憶部７０から読み出され、その調整量によって折り部１８の折り位置が調整されることになる。このように、制御部６８（折り位置調整手段７６）は、特定された調整シートの折り目の位置と、基準折り位置との差分に基づいて、折り部１８の折り位置を調整する。なお、折り位置の調整は、例えば、図２に示した折り機構のゲート６２を調整することで行われる。
【００７０】
以上説明した本実施形態の画像処理装置１０によれば、折り位置のずれ量を手動で測定して折り位置調整を行う場合に比べて、より簡易に折り位置調整を行うことができる。また、折り位置のずれ量を手動で測定して折り位置調整を行う場合に比べて、より正確に折り位置調整を行うことができる。
【００７１】
以上説明した実施形態の画像処理装置１０では、記録用紙に折りが１ヵ所入る二つ折りを例に挙げて説明した。しかし、記録用紙に折りが２ヵ所以上入る、内三つ折りやＺ折り等であっても当然によい。その場合には、１つの調整シートの複数の折られる位置の各々に調整パターンが印刷される。そして、１つの調整シートの複数の折り目の位置毎に、基準折り位置との差分（ずれ量）が求められ、折り位置の調整量が取得される。すなわち、記録用紙に折りが２ヵ所以上入る折り方の場合には、１つの調整シートで複数の折り位置の調整量が取得される。
【００７２】
以上説明した実施形態の画像処理装置１０では、調整シートに一定濃度で塗りつぶされた調整パターンを印刷（形成）した。そして、この調整パターンを跨ぐように折り部１８が折り処理を実行し、折られた調整シートを広げて画像読取部１４で読み取ることで、折り目の位置が現れる調整パターンの画像を取得した。この調整パターンの画像において、より折り目の位置が顕著に現れるように、次に示す制御を行ってもよい。
【００７３】
画像形成部１２が、調整シートに調整パターンの画像を形成する場合に、調整シート以外の記録用紙（印刷媒体）に画像を形成する場合に比べて、調整シートが定着部２４を通過する速度を遅くする。または、画像形成部１２が、調整シートに調整パターンの画像を形成する場合に、調整シート以外の記録用紙（印刷媒体）に画像を形成する場合に比べて、定着部２４の定着温度を高くする。これらは両方とも、或いは片方だけ行ってもよい。これらにより、調整シートの調整パターンのグロス（光沢度）が高くなる。それにより、調整パターンの画像において、折り目とそれ以外の部分とのコントラストが高くなり、より折り目が顕著に現れる。
【００７４】
また、画像読取部１４が、調整シートの調整パターンを読み取る場合に、調整シート以外の記録用紙（印刷媒体）に形成された画像を読み取る場合に比べて、光源５２の光量を高くする。または、画像読取部１４が、調整シートの調整パターンを読み取る場合に、調整シート以外の記録用紙（印刷媒体）に形成された画像を読み取る場合に比べて、受光部（ＣＣＤ５６）のアンプのゲインを高くする。これらは両方とも、或いは片方だけ行ってもよい。これらにより、調整パターンの画像において、折り目とそれ以外の部分とのコントラストが高くなり、より折り目が顕著に現れる。
【００７５】
なお、上記した画像処理装置１０は、画像形成装置と言うこともできる。また、上記した「調整シート」は、用紙に折りを実行する折り部１８の折り目の位置を特定するためのシートと言うこともできる。
【符号の説明】
【００７６】
１０  画像処理装置、１２  画像形成部、１４  画像読取部、１６  後処理部、１８  折り部、２０  搬送路、２２  トナー像形成部、２４  定着部、２６  用紙トレイ、２８  送り出しローラ、３０  手差しトレイ、３２Ｙ，３２Ｍ，３２Ｃ，３２Ｋ  現像ユニット、３４  転写ベルト、３６  転写ローラ、３８Ｙ，３８Ｍ，３８Ｃ，３８Ｋ  感光体ドラム、３８  ローラ、４０  定着ローラ、４４  自動原稿搬送部、４６  原稿給紙トレイ、４８  プラテンロール、４９  原稿排紙トレイ、５０  露光光学系、５２  光源、５６  ＣＣＤ、５８  排出トレイ、６０  一対の搬送ローラ、６２  ゲート、６４  折り部材、６６  一対の折りローラ、６８  制御部、７０  記憶部、７２  ＵＩ、７４  位置特定手段、７６  折り位置調整手段、７８  調整パターン、８０  調整シート、８２  基準端マーク、８４  調整パターンの画像。
【図１】
2019045784.tif 000003
【図２】
2019045784.tif 000004
【図３】
2019045784.tif 000005
【図４】
2019045784.tif 000006
【図５】
2019045784.tif 000007
【図６】
2019045784.tif 000008
【図７】
2019045784.tif 000009
【図８】
2019045784.tif 000010
【図９】
2019045784.tif 000011
【図１０】
2019045784.tif 000012